(57)【要約】【課題】患者の外出と徘徊を区別することはできず、徘徊患者を保護できなかった。【解決手段】患者データベース１０と、患者用端末２０と、看護師用端末３０と、患者監視サーバ４０とがネットワーク１００を介して相互に接続され、患者用端末で患者の位置を検出し、患者監視サーバで行動を監視し、あらかじめ看護師用端末から設定されたスケジュール通りに患者が行動していない場合に、アラームを看護師用端末に送出し、送出されたアラームの履歴を患者データベースに残し、後で患者の治療スケジュールの変更や作成に役立てることができる。【選択図】      図１
2005278864.tif 000002
【特許請求の範囲】
【請求項１】
患者データベースと、患者用端末と、看護師用端末と、患者監視サーバとをネットワークを介して相互に接続し、
前記患者データベースは、入院した患者の個人情報を登録し、
前記患者用端末は、入院した患者に装着される患者の位置を検出できる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止システム。
【請求項２】
患者データベースと、患者用端末と、看護師用端末と、患者監視サーバとをネットワークを介して相互に接続し、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる端末で、発信専用で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止システム。
【請求項３】
患者データベースと、患者用端末と、看護師用端末と、患者監視サーバとをネットワークを介して相互に接続し、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信専用で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【請求項４】
患者データベースと、患者用端末と、看護師用端末と、患者監視サーバとをネットワークを介して相互に接続し、
前記患者データベースは、入院した患者の個人情報を登録し、
前記患者用端末は、入院した患者に装着される患者の位置を検出できる発信および受信ができる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【請求項５】
患者データベースと、患者用端末と、看護師用端末と、患者監視サーバとをネットワークを介して相互に接続し、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる発信および受信ができる端末で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【請求項６】
患者データベースと、患者用端末と、看護師用端末と、患者監視サーバとをネットワークを介して相互に接続し、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信および受信ができる端末で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【請求項７】
患者データベースと、患者用端末と、看護師用端末と、患者監視サーバとをネットワークを介して相互に接続したシステムにおけるスケジュール管理による徘徊防止方法であって、
前記患者データベースは、入院した患者の個人情報を登録し、
前記患者用端末は、入院した患者に装着される患者の位置を検出できる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止方法。
【請求項８】
患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる端末で、発信専用で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止方法。
【請求項９】
患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信専用で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【請求項１０】
患者データベースと、患者用端末と、看護師用端末と、患者監視サーバとをネットワークを介して相互に接続したシステムにおけるスケジュール管理による徘徊防止方法であって、
前記患者データベースは、入院した患者の個人情報を登録し、
前記患者用端末は、入院した患者に装着される患者の位置を検出できる発信および受信ができる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【請求項１１】
患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる発信および受信ができる端末で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【請求項１２】
患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信および受信ができる端末で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【請求項１３】
患者データベースと、患者用端末と、看護師用端末と、患者監視サーバとをネットワークを介して相互に接続したシステムにおけるスケジュール管理による徘徊防止の処理において、
前記患者データベースは、入院した患者の個人情報を登録し、
前記患者用端末は、入院した患者に装着される患者の位置を検出できる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止の処理をコンピュータに実行させるための患者のスケジュール管理による徘徊防止用プログラム。
【請求項１４】
患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる端末で、発信専用で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止の処理をコンピュータに実行させるための患者のスケジュール管理による徘徊防止用プログラム。
【請求項１５】
患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信専用で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【請求項１６】
患者データベースと、患者用端末と、看護師用端末と、患者監視サーバとをネットワークを介して相互に接続したシステムにおけるスケジュール管理による徘徊防止の処理において、
前記患者データベースは、入院した患者の個人情報を登録し、
前記患者用端末は、入院した患者に装着される患者の位置を検出できる発信および受信ができる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【請求項１７】
患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる発信および受信ができる端末で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【請求項１８】
患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信および受信ができる端末で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【請求項１９】
患者用端末をページャにより構成したことを特徴とする請求項１から請求項６記載の患者のスケジュール管理による徘徊防止システム。
【請求項２０】
患者用端末をページャにより構成したことを特徴とする請求項７から請求項１２記載の患者のスケジュール管理による徘徊防止方法。
【請求項２１】
患者用端末をページャにより構成したことを特徴とする請求項１３から請求項１８記載の患者のスケジュール管理による徘徊防止用プログラム。
【発明の詳細な説明】
【技術分野】
【０００１】
本発明は患者のスケジュール管理による徘徊防止システムと方法および患者のスケジュール管理による徘徊防止用プログラムに関し、特に病院において、看護師が入院患者のスケジュールを管理し、患者が予定外の行動をとっていないかを把握して徘徊を防止する患者のスケジュール管理による徘徊防止システムと方法および患者のスケジュール管理による徘徊防止用プログラムに関する。
【背景技術】
【０００２】
従来の技術として、特表２０００−５０５２１６号公報がある（特許文献１参照。）。
【０００３】
図４は従来の遠隔監視システムを示す構成図である。
【０００４】
図４に示すように、この従来の遠隔監視システムは、監視ベースステーション１１０と、遠隔ユニット１２０と、これらを相互に接続するインターネットなどのネットワーク２００とから構成されている。
【０００５】
このような構成を有する従来の遠隔監視システムは次のように動作する。
【０００６】
まず、監視ベースステーション１１０から遠隔ユニット１２０までの無線が届く限界を定めた分離距離を設定する。
【０００７】
次に監視ベースステーション１１０は遠隔ユニット１２０との距離を測定し、設定した分離距離以上離れている場合、アラームを表示して遠隔ユニット１２０の位置を表示する。
【０００８】
しかしながら、この従来の遠隔監視システムでは、患者すなわち遠隔ユニット１２０がある一定範囲内にいるかを監視できるだけであり、本発明の目的とする、病院において、患者の通常の外出と徘徊を区別し、正しく徘徊患者を保護するため、看護師が端末を用いて入院患者のスケジュールを管理し、患者が予定外の行動をとっていないかを把握して徘徊を防止する患者のスケジュール管理し、あらかじめ設定したスケジュール通りに行動しているかを監視することはできない。
【０００９】
また、遠隔ユニット１２０の動向は監視ベースステーション１１０の監視者しか把握できないという問題があった。
【００１０】
また、従来技術として、特開平０９−１７２５０５号公報がある（特許文献２参照。）。
【００１１】
これは、無線通信式記憶媒体を所持している者の移動状況を監視して、医者や看護婦又は介護人の負担を減らすことが可能な患者監視システムを提供する。
【００１２】
患者は無線カードを所持していて、リーダライタは、送信要求信号を電波により送信すると、その送信要求信号を受信した無線カードは、当該カード固有のＩＤ信号を送信することにより、このＩＤ信号に基づいて無線カードを所持する患者の位置等の検出が可能となる。
【００１３】
従来、病院においては医者や看護婦が常時患者を監視していた。
【００１４】
また、痴呆症の老人の徘徊に関しては、看護婦や介護者等の多数の人手を駆使して徘徊する人を保護していた。
【００１５】
また、寝たきり老人に関しては、医者や看護婦の定期的訪問が必要であり、介護者は常に付き沿っていなければならなかった。
【００１６】
しかしながら、近年、人の寿命が延び、入院患者や、痴呆症の人、寝たきりの人などが増加してきているため、一人当たりの医者や看護婦の数が減少してきている。
【００１７】
このため、以下のような種々な問題を生じている。
【００１８】
病院においては、１人の患者を監視する時間が減少するため、ちょっとした病状の変化や、廊下やトイレ内での急な病状の変化への対応が困難となる。
【００１９】
そのため、常時患者の病状を監視することができなかったり、トイレ等で急な病状の悪化でナースコールを鳴らす前に倒れてしまう人を監視することができなかった。
【００２０】
また、安静を必要とする患者が医師の指導を無視して病院を抜け出すこともあり、対応に苦労していた。
【００２１】
また、痴呆症の老人の徘徊に関しては、痴呆症の老人が指定の病院を抜け出すと、どこに行くかわからず、看護婦や介護者が知り合いの人に電話したり、実際に町中を探すことが多かった。
【００２２】
また、痴呆症の人は体が弱っており早く保護する必要があった。
【００２３】
また、寝たきり老人に関しては、医者や看護婦の割り当てが減少すると、訪問する間隔が減少するため、介護の人が外出してしまったりすると、一人となり急な病状の悪化に対応できなかった。
【００２４】
しかし、病状が悪化した時に必ずしも医者、看護婦、介護人がいるとは限らない。本人が手足を動かすことが可能であれば病院や救急車を呼び出すことが可能である。
【００２５】
しかし、手足が不自由な人は何もすることができなかった。
【００２６】
そこで、この特開平０９−１７２５０５号公報は、上記に鑑みてなされたものであり、無線通信式記憶媒体を所持している者の移動状況を監視して、医者や看護婦又は介護人の負担を減らすことが可能な患者監視システム及び患者監視方法を提供することを目的とする。
【００２７】
上記目的を達成するためにこの特開平０９−１７２５０５号公報は、患者が所持する無線通信式記憶媒体とリーダ装置との間で電波により信号を送受信するようにしている。
【００２８】
そのようにすることで、当該患者を監視する患者監視システムにおいて、前記無線通信式記憶媒体を使用している。
【００２９】
これは、当該媒体固有の識別データを記憶する記憶手段により、リーダ装置から送信要求信号を受信することができる。
【００３０】
また、記憶手段が記憶する識別データを電波により前記リーダ装置に送信する無線送受信手段とを備えたことを特徴とするものである。
【００３１】
上記構成によれば、リーダ装置は、送信要求信号を電波により送信すると、その送信要求信号を受信した無線通信式記憶媒体は、当該媒体固有の識別データを無線送受信手段により送信する。
【００３２】
この識別データに基づいて無線通信式記憶媒体を所持する患者の位置等の検出が可能となる。
【００３３】
以上詳述した特開平０９−１７２５０５号公報によれば、無線通信式記憶媒体から受信した識別データに基づいて無線通信式記憶媒体を所持する患者の位置等の検出が可能となる。
【００３４】
そのため無線通信式記憶媒体を所持している者の移動状況を監視して、医者や看護婦又は介護人の負担を減らすことが可能となる。
【００３５】
また、従来技術として、特開２００２−００９９５７号公報がある（特許文献３参照。）。
【００３６】
これは、廊下灯を無線基地局とする無線設備を導入し、病院内のデジタル通信網と無線通信とを融合させることにより、システム全体の簡素化および高機能化を図る。
【００３７】
制御機を介して液晶タッチパネル付親機と廊下灯間でデジタルの音声や制御データ等を送受信する。
【００３８】
廊下灯を無線基地局として、この無線基地局を基点に無線で通信する液晶タッチパネル付無線子機端末をレイアウトフリーで病室内に設ける。
【００３９】
そして、この無線基地局を基点に無線で通信し徘徊患者によって携帯される無線ペンダントを設ける。
【００４０】
これにより、徘徊患者の所在状況を廊下灯の設置位置によって検索できるようになる。
【００４１】
かつ、この無線基地局を基点に無線で通信する無線携帯端末を設ける。
【００４２】
特開２００２−００９９５７号公報によるナースコールシステムは、制御機を介して液晶タッチパネル付親機と廊下灯間でデジタルの音声信号や制御信号等を送受信する。
【００４３】
このナースコールシステムにおいて、廊下灯を無線基地局として、この無線基地局を基点に無線で通信する液晶タッチパネル付無線子機端末をレイアウトフリーで病室内に設けている。
【００４４】
また、このナースコールシステムは、制御機を介して液晶タッチパネル付親機と廊下灯間でデジタルの音声信号や制御信号等を送受信する。
【００４５】
このナースコールシステムにおいて、廊下灯を無線基地局として、この無線基地局を基点に無線で通信し徘徊患者によって携帯される無線ペンダントを設ける。
【００４６】
これによる徘徊患者の所在状況を廊下灯の設置位置によって検索できるようになる。
【００４７】
また、このによるナースコールシステムにおいて、廊下灯を無線基地局として、この無線基地局を基点に無線で通信する無線携帯端末を設けたことを特徴としている。
【００４８】
このようなナースコールシステムによれば、病室の出入口近傍に設置される廊下灯を無線基地局を基点に、無線携帯端末の各機器との間で無線で通信が可能となる。
【００４９】
病室内のレイアウトフリーで設置される液晶タッチパネル付無線子機端末、徘徊患者により携帯される無線ペンダント、巡回中の看護婦等により携帯される無線携帯端末の各機器との間で無線で通信が可能となる。
【００５０】
制御機を介してナースステーション内の液晶タッチパネル付親機と廊下灯との間でデジタルの音声信号や制御信号等をできる。
【００５１】
このように病院内のデジタル通信網と無線通信とを融合させることにより、システム全体の簡素化および高機能化が図れる。
【００５２】
また、ナースステーション内の看護婦は、徘徊患者の所在状況および巡回中の看護婦等の所在状況（勤務状況）を廊下灯の設置位置によって把握でき、病院内における適切な人員配分や管理に役立つ。
【００５３】
さらに、巡回中の看護婦等が携帯する当該端末は、従来例のＰＨＳ端末から無線携帯端末とすることにより、無線携帯端末のデザインをＰＨＳ端末や携帯電話と差別化が図られ病院内への携帯電話の持込禁止に対応できる。
【００５４】
また、従来技術として、特開２００２−３１９０８３号公報がある（特許文献４参照。）。
【００５５】
徘徊癖のある痴呆症患者に対しては職員による監視は限界がある。
【００５６】
一方従来のセンサーの携帯を義務付けることの限界を解消する。
【００５７】
施設建物の外に出ようとする瞬間の行動を従来のＲＦＩＤシステムに改良を加える事により、確実にＩＤ管理機能が保持されるようにする。
【００５８】
ＩＤタグのＩＣ回路とコイルを軟質な素材で保護し、また、リーダライタのアンテナ部をリーダライタから分離する。
【００５９】
さらにＩＤタグのＩＣ回路とコイルを樹脂などで保護する事で、従来ではできなかった場所への設置を可能にする事により、コスト的にも安くつき、外との出入り口を通過しようとする人の管理等が行なえることになる。
【００６０】
弾力性のあるＩＤタグを靴などに設置することにより、セキュリティー機器を装着している実感がない状態で、コスト的にも安くつき、ＩＤの管理が確実に行なえる。
【００６１】
特開２００２−３１９０８３号公報の目的は上述ＲＦＩＤ機能の利点を利用しながらも、その不良点を無くする。
【００６２】
従来のＲＦＩＤのＩＤタグとリーダライタに改良を加え、広く利用されるようになってきた入退出のセキュリティーに利用される。
【００６３】
その他任意の場所に設置されたリーダライタを意識することなくＩＤタグを意識して交信距離まで近づけることなく、無意識のうちに交信距離に入りＲＦＩＤの機能を活用される。
【００６４】
このように、自動でＩＤと位置の検知が行なえるようにし、ＲＦＩＤ機能が利用出来得る産業分野の拡大に益する優れた自動位置検知システムを提供せんとするものである。
【００６５】
ＲＦＩＤ機能の送受信機に改良を加え識別機能及び産業上の利用範囲を拡大した自動位置検知システムにおいて、ＩＤタグのＩＣ回路とコイル部分のサイズを変更しＩＤタグを保護する材質を硬質のものから軟質なものに変更可能にする。
【００６６】
そうすることで人物や事物に単数及び複数のＩＤタグを設置する際に利用目的に合わせた場所に取付けられる。
【００６７】
このよううに交信距離が従来のものより拡大されることを基幹とし、合わせてリーダライタのアンテナ部をその他の部品から切り離し、アンテナを保護する材質を硬質なものから軟質なものに変更可能にする。
【００６８】
このことにより、アンテナの形状を電波法の適合規格の範囲内で利用目的に合わせて変更できるようにし、設置場所においても利用目的に応じて自由に選択できるようなる。
【００６９】
アンテナ部の設置場所においても利用目的に応じた選択が出来ることでＩＤタグとアンテナ部の交信機会が拡大する。
【００７０】
加えて上記検出がアンテナ部に接続する受信装置を介し制御機械又は警報装置などにより行なわれる機能を有するようにした技術的手段を講じたものである。
【００７１】
而して、送受信機におけるＩＤタグは用途に応じたサイズ変更を行ない、又、ＩＤタグの中のＩＣ回路やコイルにかかる衝撃を使用目的に応じた範囲で想定できる。
【００７２】
ＩＤタグを保護する際に従来の硬質な加工だけでなく軟質な加工を選択することでＩＤタグの設置個所を拡大することを可能になる。
【００７３】
又、リーダライタのアンテナ部とその他の部品を切り離した後ケーブルにより再接続する。
【００７４】
又、アンテナにかかる衝撃を設置場所に応じた範囲で想定しアンテナを保護する際に従来の硬質な加工だけでなく軟質な加工を選択する。
【００７５】
そうすることでアンテナの設置個所を拡大することを可能にする。
【００７６】
ＩＤタグとアンテナの交信機会を増やすことでＩＤタグをリーダライタに方向性を考え意識的に近づけることなく交信距離の範囲に入る事が出来る機能を有するものである。
【００７７】
以上、特開２００２−３１９０８３号公報によれば、ＩＤタグなどの情報発信機器を身につけることを望まない徘徊癖のある痴呆症患者に気づかれる事無い。
【００７８】
また、危険防止上の観点から常時使用している履物の中にＩＤタグを設置し、施設建物の外との出入り口に設置されたマットを踏む事により、今まさに外出せんとすることが察知出来るという優れた効果が奏される。
【００７９】
施設建物内の行動においては、徘徊癖のある痴呆症患者とて何の制限も無く行動できることにより、また、職員などが常時監視する必要性が無くなることにより他の人に配慮する時間が増えるという優れた効果も奏される。
【００８０】
また、職員などの利用では、両手に荷物を持っている際の入退出セキュリティー機能として活用でき、ドアの自動開錠や施錠と連動でき、優れた効果が奏される。
【００８１】
アンテナ部を主だった床に組み込む事により、所在確認システムとして利用できるという効果もある。
【００８２】
【特許文献１】特表２０００−５０５２１６号公報（第１９頁［発明の要旨］）
【特許文献２】特開平０９−１７２５０５号公報（段落［０００２］〜［００１２］，および［００５９］）
【特許文献３】特開２００２−００９９５７号公報（段落［００１３］〜［００１８］，および［００４１］〜［００４３］）
【特許文献４】特開２００２−３１９０８３号公報（段落［００１２］〜［００１４］，および［００２７］〜［００３０］）
【発明の開示】
【発明が解決しようとする課題】
【００８３】
上述した従来のシステムと方法は、
第１の問題点は、引用文献１による特表２０００−５０５２１６号公報の遠隔監視システムでは、患者すなわち遠隔ユニットがある一定範囲内にいるかを監視できるだけであり、あらかじめ設定したスケジュール通りに行動しているかを監視することはできない。また、遠隔ユニットの動向は監視ベースステーションの監視者しか把握できないという問題があった。
【００８４】
その理由は、監視ベースステーション１１０は遠隔ユニット１２０との距離を測定し、設定した分離距離以上離れている場合、アラームを表示して遠隔ユニット１２０の位置を表示するだけであるからである。
【００８５】
第２の問題点は、引用文献２による特開平０９−１７２５０５号公報の患者監視システム及び患者監視方法は、無線カードを所持する患者の位置等の検出が可能となるが患者のスケジュールを管理し、患者が予定外の行動をとっていないかを把握して徘徊を防止することはできない。
【００８６】
その理由は、患者の位置の検出し、患者の移動状況しか監視してないからである。
【００８７】
第３の問題点は、引用文献３による特開２００２−００９９５７号公報のナースコールシステムは、患者のスケジュールを管理し、患者が予定外の行動をとっていないかを把握して徘徊を防止することはできない。
【００８８】
その理由は、患者の位置の検出し、患者の移動状況しか監視してないからである。
【００８９】
第４の問題点は、引用文献４による特開２００２−３１９０８３号公報のＲＦＩＤによる痴呆症患者徘徊防止システムは、患者のスケジュールを管理し、患者が予定外の行動をとっていないかを把握して徘徊を防止することはできない。
【００９０】
その理由は、患者の位置の検出し、患者の移動状況しか監視してないからである。
（発明の目的）
そこで、本発明の目的は、病院において、患者の通常の外出と徘徊を区別することはできず、正しく徘徊患者を保護することはできていなかった。
【００９１】
そのため看護師が定期的に見回りをするなどの対策をとる必要があったことから、看護師が端末を用いて入院患者のスケジュールを管理し、患者が予定外の行動をとっていないかを把握して徘徊を防止する患者のスケジュール管理による徘徊防止システムと方法および患者のスケジュール管理による徘徊防止用プログラムを提供することにある。
【課題を解決するための手段】
【００９２】
第１の発明の患者のスケジュール管理による徘徊防止システムは、患者データベースと、患者用端末と、看護師用端末と、患者監視サーバとをネットワークを介して相互に接続し、
前記患者データベースは、入院した患者の個人情報を登録し、
前記患者用端末は、入院した患者に装着される患者の位置を検出できる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止システム。
【００９３】
また、第２の発明の患者のスケジュール管理による徘徊防止システムは、患者データベースと、患者用端末と、看護師用端末と、患者監視サーバとをネットワークを介して相互に接続し、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる端末で、発信専用で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止システム。
【００９４】
また、第３の発明の患者のスケジュール管理による徘徊防止システムは、患者データベースと、患者用端末と、看護師用端末と、患者監視サーバとをネットワークを介して相互に接続し、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信専用で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【００９５】
また、第４の発明の患者のスケジュール管理による徘徊防止システムは、患者データベースと、患者用端末と、看護師用端末と、患者監視サーバとをネットワークを介して相互に接続し、
前記患者データベースは、入院した患者の個人情報を登録し、
前記患者用端末は、入院した患者に装着される患者の位置を検出できる発信および受信ができる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【００９６】
また、第５の発明の患者のスケジュール管理による徘徊防止システムは、患者データベースと、患者用端末と、看護師用端末と、患者監視サーバとをネットワークを介して相互に接続し、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる発信および受信ができる端末で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【００９７】
また、第６の発明の患者のスケジュール管理による徘徊防止システムは、患者データベースと、患者用端末と、看護師用端末と、患者監視サーバとをネットワークを介して相互に接続し、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信および受信ができる端末で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止システム。
【００９８】
また、第７の発明の患者のスケジュール管理による徘徊防止方法は、患者データベースと、患者用端末と、看護師用端末と、患者監視サーバとをネットワークを介して相互に接続したシステムにおけるスケジュール管理による徘徊防止方法であって、
前記患者データベースは、入院した患者の個人情報を登録し、
前記患者用端末は、入院した患者に装着される患者の位置を検出できる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止方法。
【００９９】
また、第８の発明の患者のスケジュール管理による徘徊防止方法は、患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる端末で、発信専用で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止方法。
【０１００】
また、第９の発明の患者のスケジュール管理による徘徊防止方法は、前記患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信専用で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【０１０１】
また、第１０の発明の患者のスケジュール管理による徘徊防止方法は、患者データベースと、患者用端末と、看護師用端末と、患者監視サーバとをネットワークを介して相互に接続したシステムにおけるスケジュール管理による徘徊防止方法であって、
前記患者データベースは、入院した患者の個人情報を登録し、
前記患者用端末は、入院した患者に装着される患者の位置を検出できる発信および受信ができる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【０１０２】
また、第１１の発明の患者のスケジュール管理による徘徊防止方法は、患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる発信および受信ができる端末で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【０１０３】
また、第１２の発明の患者のスケジュール管理による徘徊防止方法は、前記患者データベースと、患者用端末と、看護師用端末と、患者監視サーバとをネットワークを介して相互に接続したシステムにおけるスケジュール管理による徘徊防止方法であって、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信および受信ができる端末で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止方法。
【０１０４】
また、第１３の発明の患者のスケジュール管理による徘徊防止用プログラムは、患者データベースと、患者用端末と、看護師用端末と、患者監視サーバとをネットワークを介して相互に接続したシステムにおけるスケジュール管理による徘徊防止の処理において、
前記患者データベースは、入院した患者の個人情報を登録し、
前記患者用端末は、入院した患者に装着される患者の位置を検出できる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止の処理をコンピュータに実行させるための患者のスケジュール管理による徘徊防止用プログラム。
【０１０５】
また、第１４の発明の患者のスケジュール管理による徘徊防止用プログラムは、患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる端末で、発信専用で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することを特徴とする患者のスケジュール管理による徘徊防止の処理をコンピュータに実行させるための患者のスケジュール管理による徘徊防止用プログラム。
【０１０６】
また、第１５の発明の患者のスケジュール管理による徘徊防止用プログラムは、患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信専用で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【０１０７】
また、第１６の発明の患者のスケジュール管理による徘徊防止用プログラムは、患者データベースと、患者用端末と、看護師用端末と、患者監視サーバとをネットワークを介して相互に接続したシステムにおけるスケジュール管理による徘徊防止の処理において、
前記患者データベースは、入院した患者の個人情報を登録し、
前記患者用端末は、入院した患者に装着される患者の位置を検出できる発信および受信ができる端末で、前記患者用端末は前記患者監視サーバに自身の位置情報を送信し、
前記看護師用端末は、入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームおよび患者の個人情報をもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【０１０８】
また、第１７の発明の患者のスケジュール管理による徘徊防止用プログラムは、患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、入院した患者の個人情報を登録し、当該患者が同病院に入院した経験があり、それがあらかじめ定められたある一定期間以内である場合には、必要に応じて個人情報を更新し、
前記患者用端末は、入院した患者に装着される患者の位置を検出できる発信および受信ができる端末で、患者は自分で外すことができない構成にし、前記患者用端末は前記患者監視サーバに自身の位置情報を送信し、
前記看護師用端末は、看護師が入院患者のスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、アラームおよび患者の個人情報を看護用端末と前記患者用端末および前記患者データベースに送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【０１０９】
また、第１８の発明の患者のスケジュール管理による徘徊防止用プログラムは、患者データベースと、患者用端末と、看護師用端末と、患者監視サーバとをネットワークを介して相互に接続したシステムにおけるスケジュール管理による徘徊防止の処理において、
前記患者データベースは、データベース機能を有する情報処理装置であり、新たに入院した患者の氏名、住所、病名、病室番号を登録し、当該患者が同病院に入院した経験があり、それがあらかじめ定められたある一定期間以内である場合には、必要に応じて病名、病室を更新し、
前記患者用端末は、入院した患者に装着される腕時計型の患者の位置を検出できる端末で、発信および受信ができる端末で、患者は自分で外すことができない構成にし、前記患者用端末は一定時間ごと、また患者が移動することになっている時刻に前記患者監視サーバに自身の位置情報を送信し、
前記看護師用端末は、看護師が入院患者の治療、リハビリ、食事、入浴などのスケジュールを設定するための端末で、設定したスケジュールは前記患者監視サーバに送信し、
前記患者監視サーバは、前記看護師用端末から送信された前記スケジュール、前記患者用端末から送信される位置情報をもとに、患者がスケジュールどおりに行動していない場合には、前記看護師用端末にアラームとともに患者の氏名、日時、患者の居場所を送信し、
同時に前記患者監視サーバから前記患者データベースに対しても、アラームとともに患者の氏名、日時、患者の居場所を送信し、
前記患者データベースは前記患者監視サーバから送信されたアラームをもとに、当該患者のアラーム履歴を登録し、
前記看護師用端末は前記患者データベースに登録されている前記患者の個人情報得から患者の行動傾向を分析し、スケジュールを変更設定し、前記患者監視サーバに送信することにより、前記患者データベースに残されたアラーム履歴から患者の行動傾向を把握し、リハビリや治療の時間を決定してスケジュールを作成することを特徴とする患者のスケジュール管理による徘徊防止の処理をコンピュータに実行させるための患者のスケジュール管理による徘徊防止用プログラム。
【０１１０】
また、第１９の発明の患者のスケジュール管理による徘徊防止システムは、前記患者用端末をページャにより構成したことを特徴とする請求項１から請求項６記載の患者のスケジュール管理による徘徊防止システム。
【０１１１】
また、第２０の発明の患者のスケジュール管理による徘徊防止方法は、前記患者用端末をページャにより構成したことを特徴とする請求項７から請求項１２記載の患者のスケジュール管理による徘徊防止方法。
【０１１２】
また、第２１の発明の患者のスケジュール管理による徘徊防止用プログラムは、前記患者用端末をページャにより構成したことを特徴とする請求項１３から請求項１８記載の患者のスケジュール管理による徘徊防止用プログラム。
【発明の効果】
【０１１３】
以上説明したように、本発明の患者のスケジュール管理による徘徊防止システムと方法および患者のスケジュール管理による徘徊防止用プログラムは、
第１の効果は、看護師は患者の行動スケジュールを管理し、同時に患者がスケジュール通りに行動しているか把握することができる。
【０１１４】
その理由は、患者用端末で患者の位置を検出し、患者監視サーバで行動を監視し、あらかじめ看護師用端末から設定されたスケジュール通りに患者が行動していない場合に、アラームを看護師用端末および患者データベースに送信し監視できるからである。
【０１１５】
第２の効果は、後で患者のリハビリや治療にあたり治療スケジュールの変更や作成に役立てることができる。
【０１１６】
その理由は、送出されたアラームの履歴をデータベースに残し、後で患者の治療スケジュールの変更や作成に利用できるからである。
【発明を実施するための最良の形態】
【０１１７】
次に、本発明を実施するための最良の形態について図面を参照して詳細に説明する。
【０１１８】
図１は本発明の患者のスケジュール管理による徘徊防止システムと方法および患者のスケジュール管理による徘徊防止用プログラムの第１の実施の形態を示す構成図である。
【０１１９】
図１を参照すると、本実施の形態は、患者データベース１０と、患者用端末２０と、看護師用端末３０と、患者監視サーバ４０とから構成されている。
【０１２０】
これらはプログラム制御により動作し、インターネットなどのネットワーク１００を介して相互に接続されている。
【０１２１】
患者データベース１０は、データベース機能を有する情報処理装置であり、新たに入院した患者の氏名、住所、病名、病室番号を登録する。
【０１２２】
ただし当該患者が同病院に入院した経験があり、以前に入院した時期があらかじめ定められたある一定期間以内である場合には、患者のデータが残されているので、必要に応じて病名、病室を更新するだけでよい。
【０１２３】
患者用端末２０は、入院した患者に装着される腕時計型の患者の位置を検出できる端末である。これは発信専用となっており、患者は自分で外すことができないようになっている。
【０１２４】
患者用端末２０は一定時間ごと、また患者が移動することになっている時刻に患者監視サーバ４０に自身の位置情報を送信する。
【０１２５】
看護師用端末３０は、看護師が入院患者の治療、リハビリ、食事、入浴などのスケジュールを設定するための端末である。
【０１２６】
設定したスケジュールは患者監視サーバ４０に送信される。
【０１２７】
患者監視サーバ４０は、看護師用端末３０から送信された患者のスケジュール情報、患者用端末２０から送信される位置情報をもとに、患者がスケジュールどおりに行動していない場合には、アラームを看護用端末３０と患者データベース１０に送信する。
【０１２８】
次に、本発明の第１の実施の形態の動作について、図１および図２を参照して詳細に説明する。
【０１２９】
図２は本発明の患者のスケジュール管理による徘徊防止システムと方法および患者のスケジュール管理による徘徊防止用プログラムの第１の実施の形態の動作を示す流れ図である。
【０１３０】
まず、看護師は新たに入院した新規入院患者の氏名、住所、病名、病室番号を患者データベース１０に登録する（ステップＡ１）。
【０１３１】
患者に腕時計型の発信専用の端末を装着する（ステップＡ２）。
【０１３２】
この端末は患者自身の手で外すことはできない仕組みになっている。
【０１３３】
次に、看護師が看護師用端末３０から、入院患者の入院中の治療、リハビリ、食事、および入浴などの行動スケジュールを設定し、患者監視サーバ４０に送信する（ステップＡ３）。
【０１３４】
次に、患者監視サーバ４０は一定時間ごと、またスケジュール上で患者が病室から他の場所に移動したはずの時刻に患者の位置情報を患者用端末２０から取得する（ステップＡ４）。
【０１３５】
トイレや指定された場所、または病室からトイレや、指定された場所へ通じる廊下に患者がいない場合、患者監視サーバ４０から看護師用端末３０に、スクリーンポップアップまたは音声により、アラームとともに患者の氏名、日時、患者の居場所を送信する（ステップＡ５）。
【０１３６】
同時に患者監視サーバ４０から患者データベース１０に対しても、アラームとともに患者の氏名、日時、患者の居場所を送信する（ステップＡ６）。
【０１３７】
次に、患者データベース１０は患者監視サーバ４０から送信されたアラームをもとに、当該患者のアラーム履歴を登録する（ステップＡ７）。
【０１３８】
最後に、看護師は患者データベース１０から患者の行動傾向を分析し、患者にスケジュール通り行動するよう注意したり、患者や家族と相談してスケジュールを変更する（ステップＡ８）。
【０１３９】
この際も看護師用端末３０から設定し、患者監視サーバ４０に送信する（ステップＡ８）。
【０１４０】
以上のように、入院患者の入院中の治療、リハビリ、食事、および入浴などの行動スケジュールを看護師用端末３０から設定し、患者監視サーバ４０に送信する。
【０１４１】
患者監視サーバ４０は一定時間ごと、またスケジュール上で患者が病室から他の場所に移動したはずの時刻に患者の位置情報を患者用端末２０から取得する。
【０１４２】
また、トイレや指定された場所、または病室からトイレや、指定された場所へ通じる廊下に患者がいない場合、患者監視サーバ４０から看護師用端末３０に、スクリーンポップアップまたは音声により、アラームとともに患者の氏名、日時、患者の居場所を送信する。
同時に患者監視サーバ４０から患者データベース１０に対しても、アラームとともに患者の氏名、日時、患者の居場所を送信する。
【０１４３】
このように、患者データベース１０は患者監視サーバ４０から送信されたアラームをもとに、当該患者のアラーム履歴を登録する。
【０１４４】
このようなことから、看護師は患者データベース１０から患者の行動傾向を分析し、患者にスケジュール通り行動するよう注意したり、患者や家族と相談してスケジュールを変更することにより効率的な治療が可能となる。
【０１４５】
退院後一定期間以内に入院したとき、担当の看護師が変わっても患者データベース１０に残されたアラーム履歴から患者の行動傾向を把握し、リハビリや治療の時間を適切に決定してスケジュールを作成できる。
【０１４６】
以上のように、患者の位置を患者用端末２０で検出し、患者の行動を患者監視サーバ４０で監視し、あらかじめ看護師用端末３０から設定されたスケジュール通りに患者が行動していない場合に、アラームを看護用端末３０および患者データベース１０に送出し、送出されたアラームの履歴を患者データベース１０に残し、後で患者の治療スケジュールの変更や作成に役立てることができる。
【０１４７】
次に、本発明の第２の実施の形態について、図１および図３を参照して詳細に説明する。
【０１４８】
本発明の第２の実施の形態においては、
図１の本発明の患者のスケジュール管理による徘徊防止システムと方法および患者のスケジュール管理による徘徊防止用プログラムの一実施の形態を示す構成図は同じである。
【０１４９】
患者データベース１０と、患者用端末２０と、看護師用端末３０と、患者監視サーバ４０とから構成されている。
【０１５０】
これらはプログラム制御により動作し、インターネットなどのネットワーク１００を介して相互に接続されている。
【０１５１】
患者監視サーバ４０が患者用端末２０から患者の位置情報を受信し、その結果アラームを看護師用端末３０と患者データベース１０に送信する際、同時に患者用端末２０にも送信する点で前述の本発明の第１の実施の形態と異なる。
【０１５２】
このように第２の実施の形態は患者監視サーバ４０が患者用端末２０から患者の位置情報を受信する。
【０１５３】
その結果アラームを看護師用端末３０と患者データベース１０に送信する際、同時に患者用端末２０にも送信する。
【０１５４】
このようなことから患者用端末２０は、発信だけでなく受信もできるページャが使用されることになる。
【０１５５】
患者データベース１０は、データベース機能を有する情報処理装置であり、新たに入院した患者の氏名、住所、病名、病室番号を登録する。
【０１５６】
ただし当該患者が同病院に入院した経験があり、それがあらかじめ定められたある一定期間以内である場合には、患者のデータが残されているので、必要に応じて病名、病室を更新するだけでよい。
【０１５７】
患者用端末２０は、入院した患者に装着される腕時計型の患者の位置を検出できる端末である。これは発信および受信ができるページャのような端末となっており、患者は自分で外すことができないようになっている。
【０１５８】
患者用端末２０は一定時間ごと、また患者が移動することになっている時刻に患者監視サーバ４０に自身の位置情報を送信する。
【０１５９】
看護師用端末３０は、看護師が入院患者の治療、リハビリ、食事、入浴などのスケジュールを設定するための端末である。
【０１６０】
設定したスケジュールは患者監視サーバ４０に送信される。
【０１６１】
患者監視サーバ４０は、看護師用端末３０から送信された患者のスケジュール情報、患者用端末２０から送信される位置情報をもとに、患者がスケジュールどおりに行動していない場合には、アラームを看護用端末３０と患者用端末２０および患者データベース１０に送信する。
【０１６２】
次に、本発明の第２の実施の形態の動作について、図１および図３を参照して詳細に説明する。
【０１６３】
図３は本発明の患者のスケジュール管理による徘徊防止システムと方法および患者のスケジュール管理による徘徊防止用プログラムの第２の実施の形態の動作を示す流れ図である。
【０１６４】
まず、看護師は新たに入院した新規入院患者の氏名、住所、病名、病室番号を患者データベース１０に登録する（ステップＢ１）。
【０１６５】
患者に腕時計型の発信専用の端末を装着する（ステップＢ２）。
【０１６６】
この端末は患者自身の手で外すことはできない仕組（例えば看護師等の他人による鍵によるロック機能つきの腕時計型の腕輪のような構造のもの）みになっている。
【０１６７】
次に、看護師が看護師用端末３０から、入院患者の入院中の治療、リハビリ、食事、および入浴などの行動スケジュールを設定し、患者監視サーバ４０に送信する（ステップＢ３）。
【０１６８】
次に、患者監視サーバ４０は一定時間ごと、またスケジュール上で患者が病室から他の場所に移動したはずの時刻に患者の位置情報を患者用端末２０から取得する（ステップＢ４）。
【０１６９】
トイレや指定された場所、または病室からトイレや、指定された場所へ通じる廊下に患者がいない場合、患者監視サーバ４０から看護師用端末３０に、スクリーンポップアップまたは音声により、アラームとともに患者の氏名、日時、患者の居場所を送信する（ステップＢ５）。
【０１７０】
同時に患者監視サーバ４０から発信だけでなく受信もできるページャが使用されている患者用端末２０に、アラームを送信する（ステップＢ６）。
【０１７１】
これは患者に対して、スケジュール通りに行動するように促すことを目的として送信する。
【０１７２】
ページャの患者用端末２０の画面には、患者が次に行くべき場所または病室へ戻るよう促すメッセージを表示する。
【０１７３】
さらに同時に患者監視サーバ４０から患者データベース１０に対しても、アラームとともに患者の氏名、日時、患者の居場所を送信する（ステップＢ７）。
【０１７４】
次に、患者データベース１０は患者監視サーバ４０から送信されたアラームをもとに、当該患者のアラーム履歴を登録する（ステップＢ８）。
【０１７５】
最後に、看護師は患者データベース１０から患者の行動傾向を分析し、患者にスケジュール通り行動するよう注意したり、患者や家族と相談してスケジュールを変更する（ステップＢ８）。
【０１７６】
この際も看護師用端末３０から設定し、患者監視サーバ４０に送信する（ステップＢ９）。
【０１７７】
以上のように、ステップＢ１からステップＢ９における患者のスケジュール管理に基づく、患者の監視を行う。
【０１７８】
患者の位置を患者用端末２０で検出し、患者の行動を患者監視サーバ４０で監視する。
【０１７９】
あらかじめ看護師用端末３０から設定されたスケジュール通りに患者が行動していない場合に、アラームを看護用端末３０と患者用端末２０および患者データベース１０に送出し、送出されたアラームの履歴を患者データベース１０に残す。
【０１８０】
後で患者の治療スケジュールの変更や作成に役立てることができることにより効率的な治療が可能となる。
【０１８１】
退院後一定期間以内に入院したとき、担当の看護師が変わっても患者データベース１０に残されたアラーム履歴から患者の行動傾向を把握し、リハビリや治療の時間を適切に決定してスケジュールを作成できる。
【０１８２】
以上のように、本発明の第２の実施の形態によれば、アラームが患者自身にも送信されるので、患者は意識的にスケジュール通りに行動することができる。
【０１８３】
さらに第１の実施の形態と同様に患者の位置を患者用端末２０で検出し、患者の行動を患者監視サーバ４０で監視する。
【０１８４】
あらかじめ看護師用端末３０から設定されたスケジュール通りに患者が行動していない場合に、アラームを看護用端末３０と患者用端末２０および患者データベース１０に送出する。
【０１８５】
送出されたアラームの履歴を患者データベース１０に残し、後で患者の治療スケジュールの変更や作成に役立てることができる。
【図面の簡単な説明】
【０１８６】
【図１】本発明の患者のスケジュール管理による徘徊防止システムと方法および患者のスケジュール管理による徘徊防止用プログラムの第１の実施の形態を示す構成図である。
【図２】本発明の患者のスケジュール管理による徘徊防止システムと方法および患者のスケジュール管理による徘徊防止用プログラムの第１の実施の形態の動作を示す流れ図である。
【図３】本発明の患者のスケジュール管理による徘徊防止システムと方法および患者のスケジュール管理による徘徊防止用プログラムの第２の実施の形態の動作を示す流れ図である。
【図４】従来の遠隔監視システムを示す構成図である。
【符号の説明】
【０１８７】
１０    患者データベース
２０    患者用端末
３０    看護師用端末
４０    患者監視サーバ
１００    ネットワーク
【図１】
2005278864.tif 000003
【図２】
2005278864.tif 000004
【図３】
2005278864.tif 000005
【図４】
2005278864.tif 000006